(57)【特許請求の範囲】
【請求項１】
筒状の弁ケースと、該弁ケース内に配設された弁体と、該弁体に連設された弁軸と、該弁体を当接させる水側弁座面及び湯側弁座面とを有し、該弁体によって水及び湯の流入通路の開度を制御する湯水混合弁において、
前記弁体及び弁軸を別体に構成して何れか一方に雄ねじ部を、他方に雌ねじ部を設けてそれらをねじ結合するとともに、それら弁体及び弁軸の一方と他方とに、ねじ結合状態の下で該弁軸における軸方向に掛合して該弁軸の弁体からの螺退方向の移動を阻止する径方向内向きの掛合突起と外向きの掛合突起とを設け、且つそれら一対の掛合突起の少なくとも何れかを前記径方向に弾性を有するものとなして、前記弁軸の螺進時に一方が他方を乗り越えた上で前記軸方向に互いに掛合するものとなしてあることを特徴とする湯水混合弁。
【請求項２】
請求項１に記載の湯水混合弁において、前記弁体に雌ねじ部を、前記弁軸に雄ねじ部をそれぞれ設けるとともに、該弁体に軸方向に延びる弾性片を設けて該弾性片に前記内向きの掛合突起を、前記弁軸に外向きの掛合突起をそれぞれ設けたことを特徴とする湯水混合弁。
【請求項３】
請求項２に記載の湯水混合弁において、前記弁軸に外向きのフランジ部を設けて、該フランジ部を該弁軸の前記外向きの掛合突起となしてあることを特徴とする湯水混合弁。
【請求項４】
請求項１〜３の何れかに記載の湯水混合弁において、前記内向きの掛合突起又は外向きの掛合突起の何れか一方又は両方とに、前記弁軸の螺進時に各掛合突起を互いに軸方向に乗り越えさせるためのカム面が設けてあることを特徴とする湯水混合弁。
【請求項５】
請求項１〜４の何れかに記載の湯水混合弁において、前記弁体は水側弁部と湯側弁部とが軸方向に離隔して設けてあるとともに、それら水側弁部と湯側弁部との間の位置において前記弁ケースに前記水側弁座面と湯側弁座面とを形成し、前記弁軸をそれら水側弁部と湯側弁部との軸方向中間部で前記弁体にねじ結合してあることを特徴とする湯水混合弁。
【請求項６】
請求項５に記載の湯水混合弁において、前記水側弁部と湯側弁部とを別体に構成した上、互いを組み付けてあることを特徴とする湯水混合弁。
【請求項７】
請求項５，６の何れかに記載の湯水混合弁において、前記弁ケースは前記水側弁部と湯側弁部との間の部分が内方に突出させてあり、該突出部に前記水側弁座面及び湯側弁座面を形成してあることを特徴とする湯水混合弁。
【請求項８】
請求項１〜７の何れかに記載の湯水混合弁において、該湯水混合弁がサーモスタット式湯水混合弁であって、前記弁体を互いに逆向きに付勢する感温ばねとバイアスばねとが設けてあり、該感温ばねが湯水の混合室内に、該バイアスばねが該弁体に対して該混合室とは軸方向反対側のばね収容室内にそれぞれ収容してあり、且つそれら混合室及びばね収容室が該弁体を通過する連通穴にて互いに連通させてあることを特徴とする湯水混合弁。
【請求項９】
請求項１〜８の何れかに記載の湯水混合弁において、前記弁軸が前記弁体を前記湯側弁座面に強制的に当接させる力を該弁体に伝達するための引き棒であることを特徴とする湯水混合弁。
【発明の詳細な説明】
【０００１】
【発明の属する技術分野】
この発明は弁ケース内部に配設された弁体の移動によって混合水の温度調節を行う湯水混合弁に関する。
【０００２】
【従来の技術及び発明が解決しようとする課題】
従来、筒状の弁ケースと、その弁ケース内に配設された弁体と、その弁体を当接させる水側弁座面及び湯側弁座面とを有し、弁体によって水及び湯の流入通路の開度を制御するようになした湯水混合弁が公知である。
【０００３】
この種湯水混合弁において、特に感温体として形状記憶合金から成る感温ばねを用い、その感温ばねによって弁体の湯側弁部を湯側弁座面に向けて付勢する一方、反対側からバイアスばねによって水側弁部を水側弁座面に向けて付勢し、それら感温ばねとバイアスばねとの付勢力がバランスする位置に弁体を位置させる一方、湯側弁体を湯側弁座面に強制的に当接させるための操作力を弁体に直接伝えるための弁軸を弁体に連設することが考えられている。
【０００４】
この場合弁体と弁軸とを一体に構成しておけば、それらの組み付けが不要であって好都合である。
しかしながら弁体その他の組付けの関係上、弁体と弁軸とを別々に構成してそれらを組み付けなければならない場合がある。
この場合弁体と弁軸とをねじ結合するようになしておくと組付けが簡単で好都合であるが、このようなねじ結合方式の場合ねじが緩んでしまう恐れがあり、またその緩みを防止しようとして組付けの際にねじをきつく締め過ぎると、特に弁体や弁軸が樹脂製の場合ねじ部が損傷し易いといった問題が生ずる。
【０００５】
以上弁軸が湯側弁部を湯側弁座面に強制的に当接させるための操作力を弁体に伝える引き棒である場合を例として説明したが、同様の問題は組付けの関係その他の理由によって弁体と弁軸とを別々に構成してそれらを互いにねじ結合する場合において共通して生じ得る。
【０００６】
【課題を解決するための手段】
本発明はこのような課題を解決するためになされたものである。
而して請求項１の湯水混合弁は、筒状の弁ケースと、該弁ケース内に配設された弁体と、該弁体に連設された弁軸と、該弁体を当接させる水側弁座面及び湯側弁座面とを有し、該弁体によって水及び湯の流入通路の開度を制御する湯水混合弁において、前記弁体及び弁軸を別体に構成して何れか一方に雄ねじ部を、他方に雌ねじ部を設けてそれらをねじ結合するとともに、それら弁体及び弁軸の一方と他方とに、ねじ結合状態の下で該弁軸における軸方向に掛合して該弁軸の弁体からの螺退方向の移動を阻止する径方向内向きの掛合突起と外向きの掛合突起とを設け、且つそれら一対の掛合突起の少なくとも何れかを前記径方向に弾性を有するものとなして、前記弁軸の螺進時に一方が他方を乗り越えた上で前記軸方向に互いに掛合するものとなしてあることを特徴とする。
【０００７】
請求項２の湯水混合弁は、請求項１に記載の湯水混合弁において、前記弁体に雌ねじ部を、前記弁軸に雄ねじ部をそれぞれ設けるとともに、該弁体に軸方向に延びる弾性片を設けて該弾性片に前記内向きの掛合突起を、前記弁軸に外向きの掛合突起をそれぞれ設けたことを特徴とする。
【０００８】
請求項３の湯水混合弁は、請求項２に記載の湯水混合弁において、前記弁軸に外向きのフランジ部を設けて、該フランジ部を該弁軸の前記外向きの掛合突起となしてあることを特徴とする。
【０００９】
請求項４の湯水混合弁は、請求項１〜３の何れかに記載の湯水混合弁において、前記内向きの掛合突起又は外向きの掛合突起の何れか一方又は両方とに、前記弁軸の螺進時に各掛合突起を互いに軸方向に乗り越えさせるためのカム面が設けてあることを特徴とする。
【００１０】
請求項５の湯水混合弁は、請求項１〜４の何れかに記載の湯水混合弁において、前記弁体は水側弁部と湯側弁部とが軸方向に離隔して設けてあるとともに、それら水側弁部と湯側弁部との間の位置において前記弁ケースに前記水側弁座面と湯側弁座面とを形成し、前記弁軸をそれら水側弁部と湯側弁部との軸方向中間部で前記弁体にねじ結合してあることを特徴とする。
【００１１】
請求項６の湯水混合弁は、請求項５に記載の湯水混合弁において、前記水側弁部と湯側弁部とを別体に構成した上、互いを組み付けてあることを特徴とする。
【００１２】
請求項７の湯水混合弁は、請求項５，６の何れかに記載の湯水混合弁において、前記弁ケースは前記水側弁部と湯側弁部との間の部分が内方に突出させてあり、該突出部に前記水側弁座面及び湯側弁座面を形成してあることを特徴とする。
【００１３】
請求項８の湯水混合弁は、請求項１〜７の何れかに記載の湯水混合弁において、該湯水混合弁がサーモスタット式湯水混合弁であって、前記弁体を互いに逆向きに付勢する感温ばねとバイアスばねとが設けてあり、該感温ばねが湯水の混合室内に、該バイアスばねが該弁体に対して該混合室とは軸方向反対側のばね収容室内にそれぞれ収容してあり、且つそれら混合室及びばね収容室が該弁体を通過する連通穴にて互いに連通させてあることを特徴とする。
【００１４】
請求項９の湯水混合弁は、請求項１〜８の何れかに記載の湯水混合弁において、前記弁軸が前記弁体を前記湯側弁座面に強制的に当接させる力を該弁体に伝達するための引き棒であることを特徴とする。
【００１５】
【作用及び発明の効果】
以上のように請求項１の湯水混合弁は、弁体及び弁軸の一方と他方とに、ねじ結合状態の下で弁軸における軸方向に掛合して弁軸の弁体からの螺退方向の移動を阻止する径方向内向きの掛合突起と外向きの掛合突起とを設けたもので、この湯水混合弁においては、それら径方向内向きの掛合突起と外向きの掛合突起との掛合作用によって、弁体と弁軸とのねじが緩むのを防止することができる。
またねじ結合が緩むのを防止できるため、弁軸を弁体にねじ込む際にきつく締める必要がなくなり、従って締過ぎによるねじ部の損傷も防止することができる。
ここで上記内向きの掛合突起と外向きの掛合突起とは、それぞれ弁体又は弁軸に一体成形しておくことができる。
【００１６】
本発明では内向きの掛合突起と外向きの掛合突起との少なくとも何れかを径方向に弾性を有するものとなしている。
このようにしておけば、弁軸を弁体にねじ込むときにその弾性を利用して内向きの掛合突起と外向きの掛合突起とを互いを乗り越えて軸方向に通過させることができ、これによって雄ねじ部と雌ねじ部とを十分にねじ結合させることができるとともに、ねじ結合後において互いを掛合状態となし得て、ねじの緩みをそれらの掛合作用により効果的に防止することができる。
【００１７】
請求項２の湯水混合弁は、弁体に雌ねじ部を、弁軸に雄ねじ部を設け、そしてその弁体に軸方向に延びる弾性片を設けてその弾性片に上記内向きの掛合突起を設けたもので、このようにしておけば、弁軸を弁体にねじ込む際に弁体側の内向きの掛合突起を弾性片の弾性を利用して容易に且つ大きく弾性変形させることができ、従って弁軸の螺進時に弁体側の内向きの掛合突起を弁軸側の外向きの掛合突起が容易に乗り越えて通過することができる。
従って弁軸を弁体に小さい操作力で簡単にねじ込むことができる。
【００１８】
一方でねじ込み後においては、原形状に復元した内向きの掛合突起と外向きの掛合突起とを広い掛合面積に亘って掛合させることができ、抜き力を大きくすることができる。
ここで上記弁軸の外向きの掛合突起は、弁軸に設けた外向きのフランジ部となすことができる（請求項３）。
【００１９】
請求項４の湯水混合弁は、上記内向きの掛合突起，外向きの掛合突起の一方又は両方に、弁軸を弁体にねじ込む際に各掛合突起を互いに軸方向に乗り越えさせるためのカム面を設けたもので、このようにしておけば弁軸を弁体にねじ込む際に各掛合突起を互いに軸方向に容易に乗り越えさせることができ、従って弁軸を簡単に弁体にねじ込むことができる。
【００２０】
請求項５の湯水混合弁は、弁体における水側弁部と湯側弁部とを軸方向に離隔して設け、それらの間の位置において弁ケースに水側弁座面と湯側弁座面とを形成し、上記弁軸をそれら水側弁部と湯側弁部との軸方向中間部で弁体にねじ結合したものである。
【００２１】
弁軸を弁体にねじ結合するに際して弁体の軸方向端部にこれをねじ結合することも可能であるが、この場合弁体と弁軸とを合せた軸方向長が長くなってしまう。
しかるに請求項５に従って弁軸を弁体の水側弁部と湯側弁部との中間部でねじ結合するようにすれば、弁体及び弁軸全体の軸方向長を短くでき、ひいては湯水混合弁をコンパクトに構成することができる。
【００２２】
請求項６のものは、水側弁部と湯側弁部とを別体に構成した上、それらを互いに組み付けるようになしたもので、このようにしておけば、水側弁部及び湯側弁部を一体に構成したときにその組付けが困難となるような場合においても、かかる弁体を弁ケース内に容易に組み付けることが可能となる。
【００２３】
特に、弁ケースの水側弁部と湯側弁部との間の部分が内方に突出していて、それらを軸方向両側に水側弁部と湯側弁部とを配置するような場合、それら水側弁部と湯側弁部とを一体に構成しておくとその組付けが非常に困難か、実質的に組付け不能となってしまう。
これに対して水側弁部と湯側弁部とを別体状態で構成して互いを組み付けるようにしておけば、そのような場合であっても支障なく簡単に弁体を弁ケース内に組み入れることができる（請求項７）。
【００２４】
本発明は、感温ばねとバイアスばねとを用いて弁体を互いに逆向きに付勢する形式のサーモスタット式湯水混合弁に好適に適用可能なものである（請求項８）。
また上記弁軸が弁体を湯側弁座面に強制的に当接させる力を弁体に伝達するための引き棒である場合に好適に適用可能である（請求項９）。
【００２５】
【実施例】
次に本発明の実施例を図面に基づいて詳しく説明する。
図１において、１０はサーモスタット式の湯水混合弁で、軸ケース１２と弁ケース１４とを有しており、それらが軸方向端部でねじ結合されている。
１６は回転操作軸でセレーション部１８を有しており、そのセレーション部１８において回転ハンドルに一体回転状態に連結されるようになっている。
【００２６】
回転操作軸１６は、軸ケース１２の内部において大径の円筒部２０を有している。
この円筒部２０の内周面には雌ねじ部２２が形成されており、この雌ねじ部２２が、円筒形状をなす駆動部材２４の外周面の雄ねじ部２６に螺合されている。
駆動部材２４は後述の弁体３２を駆動するための部材で、回転操作軸１６の回転に伴って上記雌ねじ部２２と雄ねじ部２６とのねじ送りで軸方向、即ち図中左右方向に進退移動させられる。
【００２７】
上記弁ケース１４には、周方向に円弧状をなし且つ弁ケース１４を内外に貫通する水流入口２８及び湯流入口３０が軸方向に所定距離隔てて形成されている。
これら水流入口２８，湯流入口３０から弁ケース１４内部に流入した水と湯とは混合室３１で混合された上、図中左向きに流出する。
【００２８】
一方、弁ケース１４の内部には弁体３２が軸方向に摺動可能に嵌合されており、その弁体３２の軸方向移動によってそれら水流入口２８，湯流入口３０の開度が制御されるようになっている。
弁体３２は、円筒形状の水側弁部３４と円筒形状の湯側弁部３６とを有しており、それらが軸方向に離隔して設けられている。
一方弁ケース１４は、水側弁部３４と湯側弁部３６との間の部分が内方に突出しており、その突出部９２に水側弁座面４０と湯側弁座面４２とが形成されている。
【００２９】
水側弁部３４及び湯側弁部３６は、外周面に環状溝を有しており、それら環状溝にリング状のシール部材４４が装着され、それらシール部材４４が弁ケース１４の内周面に水密に且つ摺動可能に嵌合している。
これら水側弁部３４と湯側弁部３６とは、中心軸部３８において軸方向に互いに連絡されている。
【００３０】
ここで中心軸部３８は、図２にも示しているように断面十字形状をなしている。
即ち中心軸部３８は、中心から放射方向に突き出した板状部３９を有していて、それら板状部３９と３９との間に水，湯の通路を形成している。
この中心軸部３８は、各板状部３９の軸方向端部且つ外周部において湯側弁部３６に一体結合されている。即ちこの例において中心軸部３８と湯側弁部３６とは一体成形されている。
尚、本例において弁体３２はその全体が樹脂製とされている。
【００３１】
弁体３２は、図１中左向きの移動によって水側弁部３４が水側弁座面４０に当接して水流入口２８を遮断する一方、湯側弁部３６が湯側弁座面４２から大きく離隔して湯流入口３０の開度を大きくする。
また一方同図中右向きの移動によって湯側弁部３６が湯側弁座面４２に当接して湯流入口３０を遮断する一方、水側弁部３４が水側弁座面４０から大きく離隔して水流入口２８の開度を大きくする。
またそれらの中間位置において水流入口２８及び湯流入口３０を開き、且つその開度を変化させて水，湯の流入量を変化させる。
【００３２】
弁ケース１４の軸方向端部、詳しくは図１中左端部にはリング状の第一ばね受４６が、第一ばね受４６に形成された掛止爪４７と弁ケース１４に形成された掛止穴４８との掛止によって取り付けられており、その第一ばね受４６に形状記憶合金から成る感温ばね５０の一端部が当接している。
【００３３】
感温ばね５０の他端部は弁体３２に当接しており、弁体３２がその感温ばね５０によって図１中右向きに付勢されている。
ここで感温ばね５０は、混合室３１内の混合水温度の高低に応じてばね力を変化させる。即ち温度が高くなると付勢力を増大させ、また温度が低くなると付勢力を低下させる。
【００３４】
上記弁体３２には、主として引き棒としての働きをなす弁軸５２がねじ結合により組み付けられている。
詳しくは、弁体３２には水側弁部３４と湯側弁部３６との中間部において雌ねじ孔（雌ねじ部）５４が中心軸部３８に形成されており、そこに弁軸５２の図中左端部の雄ねじ部５６がねじ結合されている。これにより弁体３２と弁軸５２とが軸方向に一体に移動するようになっている。
ここで弁軸５２は回転操作軸１６の逆方向回転により図中右向きに引き込まれ、湯側弁部３６を湯側弁座面４２に強制的に当接させる働きをなす。
【００３５】
上記駆動部材２４には、リング状の第二ばね受５８が組み付けられている。
第二ばね受５８は、周方向に１８０°隔たった２箇所において底部から軸方向に延び出す弾性アーム５９を有しており、その先端の掛止爪６０が、駆動部材２４の被掛止部６２に掛止されている。
ここで第二ばね受５８は、掛止爪６０を駆動部材２４の凹部６４に位置させた状態で、駆動部材２４に対し軸方向に相対移動可能とされている。
【００３６】
この第二ばね受５８の底部には、第一バイアスばね６６の一端部が当接している。
第一バイアスばね６６の他端部は、ストッパリング６８を介して駆動部材２４の端部且つ内向きのフランジ部７０に当接している。
【００３７】
７２は第二バイアスばねで、その一端部が上記水側弁部３４の内向きのフランジ部７６に、他端部が弁軸５２に摺動可能に嵌装された第三ばね受７４にそれぞれ当接している。
尚、水側弁部３４は湯側弁部３６とは別体に構成された上、湯側弁部３６と一体の断面十字形状の中心軸部３８に嵌合され、内向きのフランジ部７６がその中心軸部３８の先端に当接している。
【００３８】
本例では、ばね室（ばね収容室）７８内に収容された第一バイアスばね６６及び第二バイアスばね７２によって弁体３２が図中左向きに付勢され、また一方、混合室３１内の感温ばね５０によって図中右向きに付勢されている。
【００３９】
弁軸５２には、図中右端部に大径のフランジ状の頭部８０が設けられており、その頭部８０に工具係合用の係合溝８１が設けられている。
弁軸５２は、この係合溝８１に工具を係合させてこれを回転操作できるようになっている。
【００４０】
弁軸５２にはまた、軸方向中間部に中間フランジ部８２が設けられており、この中間フランジ部８２に、上記第三ばね受７４が図中右向きに当接するようになっている。
尚第二ばね受５８は、内径がこの中間フランジ部８２よりも大きくされており、中間フランジ部８２を軸方向に通過可能となっている。
また上記駆動部材２４は、内径が弁軸５２の上記頭部８０よりも大きくされている。
【００４１】
上記弁体３２における中心軸部３８の軸端部には切欠きが形成されていてそれら切欠きの間に、軸方向に延びる弾性片８４（図２，図４参照）が形成されている。またこの切欠きによって、上記混合室３１とばね室７８とを連通させる連通穴が形成されている。
これら弾性片８４の内面には、図２に示しているように内向きの掛合突起８６が設けられている。
この内向きの係合突起８６のそれぞれには、傾斜形状のカム面８８が形成されている。
【００４２】
一方上記弁軸５２にはその軸端部近傍、詳しくは雄ねじ部５６の隣接部位に、フランジ部が形成されていて、このフランジ部により外向きの掛合突起９０が構成されている。
これら弁体３２側の内向きの掛合突起８６と弁軸５２側の外向きの掛合突起９０とは、弁軸５２及び弁体３２のねじ結合状態の下で軸方向に掛合した状態にあり、その掛合作用によって弁軸５２が弁体３２から抜止めされている。
【００４３】
本例の湯水混合弁１０では、回転操作軸１６を回転（正方向回転）操作すると駆動部材２４が図中左向きに前進移動する。
これによって弁体３２を図中左向きに付勢する第一バイアスばね６６及び第二バイアスばね７２の付勢力が強まって、弁体３２が図中左方向にシフトさせられる。
【００４４】
弁体３２が左向きにシフトした状態において、第一バイアスばね６６及び第二バイアスばね７２の左向きの付勢力と、感温ばね５０による右向きの付勢力とは釣り合った状態にあり、その状態で水流入口２８及び湯流入口３０から流入する水と湯の混合水温度が変動すると、これに伴って感温ばね５０が付勢力を増減させて弁体３２を左右方向に微動させる。これにより混合水温度が設定温度に維持される。
【００４５】
また一方回転操作軸１６を逆方向に回転操作すると、駆動部材２４が図中右向きに移動して、第一バイアスばね６６及び第二バイアスばね７２の付勢力が低下し、これにより弁体３２が図中右向きにシフトさせられる。そしてそのシフト位置において感温ばね５０の温度感知に基づく付勢力の増減によって混合水温度が調節される。
【００４６】
本例の湯水混合弁１０では、弁体３２を図中左向きに押動する際には回転操作軸１６の操作力を駆動部材２４，第一バイアスばね６６，第二バイアスばね７２を介して弁体３２に作用させる。
一方、弁体３２に対する図中右向きの押動力は感温ばね５０によって加えられる。
而してその感温ばね５０による押動力は混合水温度が低いときには弱くなり、湯側弁部３６を湯側弁座面４２に当接させて湯の流入を完全に遮断する上で不十分となる場合がある。
【００４７】
このとき回転操作軸１６を逆方向に回転させると、その操作力が駆動部材２４，第二ばね受５８，第一バイアスばね６６，ストッパリング６８を介して弁軸５２の頭部８０に作用する。即ち弁軸５２に図中右向きの引込力が加えられ、これにより湯側弁部３６が強制的に湯側弁座面４２に当接させられて、湯流入口３０が完全に遮断される。
【００４８】
本例の湯水混合弁１０の場合、弁ケース１４における水側弁部３４と湯側弁部３６との間の部分が内方に突出し、それら水側弁部３４と湯側弁部３６との間に水側弁座面４０及び湯側弁座面４２が形成されている関係上、弁体３２を予め一体に成形しておくと弁体３２の組付けができなくなる。
また同様に弁軸５２を弁体３２に一体成形しておくと、第三ばね受７４その他部材の組付けができなくなる。
【００４９】
そこで本例では、弁体３２における水側弁部３４と湯側弁部３６とが別体且つ分離構成とされた上、互いに組み付けられ、また同様に弁軸５２が弁体３２と別体に構成されて互いに組み付けられるようになっている。
【００５０】
図３ないし図６は本例の湯水混合弁１０における組付手順を表している。以下これらの図に従って本例の湯水混合弁１０の組付手順を説明する。
先ず図３に示しているように弁軸５２とストッパリング６８，第一バイアスばね６６，第二ばね受５８，第三ばね受７４及び駆動部材２４を組み付ける。そしてその状態で図４に示しているように更に第二バイアスばね７２及び水側弁部３４を組み付ける。
【００５１】
また一方、これとは別に中心軸部３８と一体の湯側弁部３６，感温ばね５０及び第一ばね受４６を組み合せ、それらを弁ケース１４に対し互いに逆方向から挿入する。
そして弁軸５２の雄ねじ部５６を弁体３２の雌ねじ孔５４、つまり湯側弁部３６と一体の中心軸部３８に形成してある雌ねじ孔５４にねじ込み、各部材を結合するとともにそれらを弁ケース１４内部に組み付ける。
【００５２】
このとき、即ち雄ねじ部５６を雌ねじ孔５４にねじ込む際、弁軸５２をその軸端の頭部８０において回転操作することとなる。
その回転操作によって弁軸５２の雄ねじ部５６が、中心軸部３８の雌ねじ孔５４内部にねじ込まれて行くが、あるところで弁軸５２の外向きの掛合突起９０が弁体３２の内向きの掛合突起８６に当接する。
【００５３】
そして更に弁軸５２をねじ込んで行くと、内向きの掛合突起８６、つまり弾性片８４を外向きに弾性変形させながら弁軸５２の外向きの掛合突起９０が内向きの掛合突起８６を乗り越え、ここにおいて雄ねじ部５６が雌ねじ孔５４に完全にねじ結合されるとともに、外向きの掛合突起９０が内向きの掛合突起８６を乗り越えた段階でそれら掛合突起９０，８６同士が軸方向に掛合した状態となり、ここにおいて弁軸５２の弁体３２からの抜けが防止される。
【００５４】
尚、一方の掛合突起９０が他方の掛合突起８６を乗り越える際、掛合突起８６にはカム面８８が形成されており且つ掛合突起８６は弾性片８４に形成されているため、掛合突起９０が容易に掛合突起８６を軸方向に乗り越えることができる。
【００５５】
上記のようにして弁軸５２，弁体３２，弁ケース１４等を組み付けた後又はこれに先立って、図５に示しているように回転操作軸１６を軸ケース１２に組み付けておき、その後図６に示しているように軸ケース１２を弁ケース１４にねじ結合することで、図１に示す湯水混合弁１０全体を組付状態とすることができる。
【００５６】
本例の湯水混合弁１０の場合、径方向内向きの掛合突起８６と外向きの掛合突起９０との掛合作用で、弁体３２と弁軸５２とのねじが緩むのを防止でき、従って弁軸５２を弁体３２にねじ込む際きつく締める必要がなく、締過ぎによるねじ部の損傷も防止できる。
【００５７】
本例の湯水混合弁１０ではまた、弁体３２側の内向きの掛合突起８６を弾性片８４の弾性を利用して容易に且つ大きく弾性変形させることができ、従って弁軸５２の雄ねじ部５６を弁体３２の雌ねじ孔５４にねじ込む際に、弁体３２側の内向きの掛合突起８６を弁軸５２側の外向きの掛合突起９０が容易に乗り越えて通過することができる。
従って弁軸５２を弁体３２に小さい操作力で簡単にねじ込むことができる。
【００５８】
一方でねじ込み後においては、原形状に復元した内向きの掛合突起８６と外向きの掛合突起９０とを広い掛合面積に亘って掛合させることができ、抜き力を大きくすることができる。
【００５９】
また、弁体３２には切欠きを設けてその切欠きの間に弾性片８４を形成し、そしてその切欠きによって弁体３２を通る連通穴を形成するようにしており、必要な連通穴を形成するのと併せて必要な弾性片８４を形成することができる。
尚この連通穴は、混合室３１とばね室７８との圧力を連絡して、弁体３２の作動を確保するために必要なものである。
【００６０】
本例の湯水混合弁１０では、弁体３２における水側弁部３４と湯側弁部３６とを軸方向に分けて設け、それらの間の位置において弁ケース１４に水側弁座面４０と湯側弁座面４２とを形成し、そして弁軸５２をそれら水側弁部３４と湯側弁部３６との軸方向中間部で弁体３２にねじ結合している。
【００６１】
弁軸５２を弁体３２にねじ結合するに際して弁体３２の軸方向端部にねじ結合することも可能であるが、この場合弁体３２と弁軸５２とを合せた軸方向長が長くなってしまう。
これに対し本例によれば、弁体３２及び弁軸５２全体の軸方向長を短くでき、湯水混合弁１０をコンパクト化することができる。
【００６２】
図７及び図８は本発明の他の実施例を示している。
先ず図７（Ａ）の例は、弁体３２における湯側弁部３６と水側弁部３４とを別体に構成して互いに組み付けるようになすとともに、その湯側弁部３６に筒状の中心軸部９４を一体に形成し、そしてその中心軸部９４の端部に周方向所定間隔で切欠きを設けて弾性片８４を形成し、それら弾性片８４の内面に内向きの掛合突起８６を形成した例である。
尚、内向きの掛合突起８６にはカム面８８が形成されており、また上記切欠きは混合室３１とばね室７８とを連通させる連通穴を形成している点で上記実施例と同様である。
【００６３】
一方、図７（Ｂ）は同じく弁体３２における湯側弁部３６と水側弁部３４とを別体構成としてそれらを互いに組み付けるようになすとともに、中心軸部９６を筒状に且つ水側弁部３４に一体に形成した例である。
【００６４】
この例においても、中心軸部９６且つ水側弁部３４の側に切欠きが設けてあって、それら切欠きにより混合室３１とばね室７８とを連通させる連通穴が形成されるとともに、切欠きと切欠きの間に弾性片８４が形成してあり、その弾性片８４の内面に内向きの掛合突起８６が形成されている。
尚筒状の中心軸部９６には、流入した水及び湯を混合室３１側に通すための連通穴９８が設けられている。
【００６５】
他方図８の例は、水側弁部３４と湯側弁部３６とを別体に構成してそれらを互いに組み付けるとともに、中心軸部１００を断面十字形状且つ水側弁部３４に一体に形成した例である。
この例においても中心軸部１００の水側弁部３４の側に切欠きが設けられていて、それら切欠きにより混合室３１とばね室７８とを連通させる連通穴が形成されるとともに、切欠きと切欠きの間に弾性片８４が形成され、それら弾性片８４の内面に内向きの掛合突起８６が形成してある。
【００６６】
以上は水側弁部３４と湯側弁部３６とを別体に構成した上、互いを組み付けるようにした場合の例であるが、本発明においては図９（Ａ）に示しているように弁体３２を水側弁部３４及び湯側弁部３６が一体の構成となし、その弁体３２に対し弁軸５２をねじ結合するようになすことも可能である。
尚同図において、２８は水流入口、３０は湯流入口、４０は水側弁座面、４２は湯側弁座面である。
【００６７】
図９（Ｂ）の例は、水側弁部３４と湯側弁部３６とを別体構成とした上互いを組み付けるようになすとともに、その水側弁部３４に直接弁軸５２をねじ結合するようにした場合の例である。
本発明においては、このような形態で弁軸５２を弁体３２にねじ結合することも可能である。
【００６８】
尚図９（Ｂ）の例において１０２は中心軸部で、この例では中心軸部１０２は筒状に且つ湯側弁部３６に一体に形成されている。
但し図９（Ｂ）の例において、中心軸部１０２はこれを湯側弁部３６と分離し、水側弁部３４に一体に形成することも可能であるし、またその断面形状は筒状に限らず断面十字状その他種々形状に形成することが可能である。
【００６９】
以上本発明の実施例を詳述したがこれらはあくまで一例示である。
例えば上記実施例では雄ねじ部が弁軸に、雌ねじ部が弁体にそれぞれ設けられているが、場合によって雄ねじ部を弁体側に、また雌ねじ部を弁軸側に設けてそれらをねじ結合するようになすといったことも可能であるし、また外向きの掛合突起を弁体側に、また内向きの掛合突起を弁軸側に設けてそれらを互いに軸方向に掛合させるといったことも可能である。
【００７０】
また上例はサーモスタット式の湯水混合弁に本発明を適用した場合の例であるが、本発明は弁体の移動によって単に湯と水の流入通路を調整するだけの通常の、即ち自動温度調節機能を有しない混合弁に適用することも可能であるし、またサーモスタット式の湯水混合弁に適用する場合において、感温体として上記のような感温ばね以外の他の種々形態の感温体を用いることも可能であるし、更に上記のような引き棒以外の弁軸を有する湯水混合弁に本発明を適用することも可能であるなど、本発明はその主旨を逸脱しない範囲において種々変更を加えた形態で構成可能である。
【図面の簡単な説明】
【図１】本発明の一実施例である湯水混合弁を組付完了状態で示す図である。
【図２】同じ実施例の湯水混合弁の要部を各部に分解して示す一部切欠斜視図である。
【図３】同じ実施例の湯水混合弁の組付手順の第一のステップを説明する説明図である。
【図４】同じ実施例の湯水混合弁の組付手順の図３に続くステップの説明図である。
【図５】同じ実施例の湯水混合弁の組付手順の図３及び図４とは別のステップの説明図である。
【図６】同じ実施例の湯水混合弁の組付手順の図３，図４，図５に続くステップの説明図である。
【図７】本発明の他の実施例の湯水混合弁の要部を示す図である。
【図８】本発明の更に他の実施例の湯水混合弁の要部を示す図である。
【図９】本発明の更に他の実施例の湯水混合弁の要部を示す図である。
【符号の説明】
１０  湯水混合弁
１４  弁ケース
３１  混合室
３２  弁体
３４  水側弁部
３６  湯側弁部
４０  水側弁座面
４２  湯側弁座面
５０  感温ばね
５２  弁軸
５４  雌ねじ孔（雌ねじ部）
５６  雄ねじ部
６６  第一バイアスばね
７２  第二バイアスばね
７８  ばね室（ばね収容室）
８４  弾性片
８６，９０  掛合突起
８８  カム面
９２  突出部
【図１】
0003597413.tif 000002
【図２】
0003597413.tif 000003
【図３】
0003597413.tif 000004
【図４】
0003597413.tif 000005
【図５】
0003597413.tif 000006
【図６】
0003597413.tif 000007
【図７】
0003597413.tif 000008
【図８】
0003597413.tif 000009
【図９】
0003597413.tif 000010